(57)【要約】      （修正有）【課題】交差２面のうちの一方の面がビスの効かない効きにくい面であっても堅固に固定設置することができる配管ガイドと、この配管ガイドを用いた配管配置構造とを提供する。【解決手段】配管ガイド１は、湾曲した主延在片２及び副延在片３を有する。配管１４を側片５、５間及び主延在片２と副延在片３との間に通した後、配管ガイド１を罫書き位置に合わせて配置し、張出片６、６を壁面１１に当接させ、副延在片３の下端部を床面１２と当接させる。張出片６の孔を通してビス７を壁面１１にねじ込み、配管ガイドを壁面１１に固定する。【選択図】図１
0003224224.tif 000002
【実用新案登録請求の範囲】
【請求項１】
第１の面と第２の面とが交わるコーナー部に配置される配管ガイドであって、
第１の面に対面する基端部、第２の面に対面する先端部、及び該基端部と該先端部とを繋ぐように延在した中間部を有する主延在片と、
該主延在片の裏側すなわち該第１及び第２の面側に位置し、該主延在片との間に配管用スペースをあけている副延在片と、
該主延在片の前記基端部の両側辺から前記第１の面に向けて起立する１対の側辺と、
各側辺の起立方向先端側から互いに反対方向に延出した張出片と、
該主延在片及び副延在片の一方の長側辺同士を連結するタイ片と
を有する配管ガイド。
【請求項２】
前記張出片にビスの挿通部が設けられている請求項１の配管ガイド。
【請求項３】
前記タイ片は、前記主延在片及び副延在片の一端側同士を連結しており、
前記副延在片の１対の長側辺のうち他端側には、前記主延在片側に起立する起立片が設けられている請求項１又は２の配管ガイド。
【請求項４】
前記副延在片は前記主延在片の前記中間部に対面している請求項１〜３のいずれかの配管ガイド。
【請求項５】
前記主延在片の前記中間部及び前記副延在片は、長手方向において湾曲している請求項１〜４のいずれかの配管ガイド。
【請求項６】
コーナー部で交わる第１の面から第２の面にかけて配管が配置され、該配管が請求項１〜５のいずれかの配管ガイドの前記配管用スペースに挿通されており、
前記張出片が前記第１の面に固定されている配管配置構造。
【請求項７】
前記配管ガイドの張出片がビスによって前記第１の面に固定されている請求項６の配置構造。
【考案の詳細な説明】
【技術分野】
【０００１】
本考案は、壁・床、壁・天井、壁のコーナー部（隅角部）など、交差２面に渡って配管を引き回す（配管する）場合に好適に用いられる配管ガイドに関する。また、本考案は、この配管ガイドを用いた配管配置構造に関する。
【背景技術】
【０００２】
壁等に沿って配管を配設する場合、コーナー部（隅角部）など、配管が屈曲ないし湾曲する部分をエルボ型配管カバーで囲むことが行われている（特許文献１）
【先行技術文献】
【特許文献】
【０００３】
【特許文献１】特開２０１１−２１４５９０号公報
【考案の概要】
【考案が解決しようとする課題】
【０００４】
従来のエルボ型配管カバーをコーナー部に固定する場合、配管カバーをコーナー部で交わる一方の面（例えば床面）と他方の面（例えば壁面）との双方にビス留め固定する必要がある。
【０００５】
ところが、一方の面（例えば床面）にウレタン断熱材などの軟質材層が設けられていると、ビスが効かず、配管カバーを当該面（例えば床面）に固定することができない。
【０００６】
本考案は、交差２面のうちの一方の面がビスの効かない効きにくい面であっても堅固に固定設置することができる配管ガイドと、この配管ガイドを用いた配管配置構造とを提供することを目的とする。
【課題を解決するための手段】
【０００７】
本考案の配管ガイドは、第１の面と第２の面とが交わるコーナー部に配置される配管ガイドであって、第１の面に対面する基端部、第２の面に対面する先端部、及び該基端部と該先端部とを繋ぐように延在した中間部を有する主延在片と、該主延在片の裏側すなわち該第１及び第２の面側に位置し、該主延在片との間に配管用スペースをあけている副延在片と、該主延在片の前記基端部の両側辺から前記第１の面に向けて起立する１対の側辺と、各側辺の起立方向先端側から互いに反対方向に延出した張出片と、該主延在片及び副延在片の一方の長側辺同士を連結するタイ片とを有する。
【０００８】
本考案の配管ガイドの一態様では、前記張出片にビスの挿通部が設けられている。
【０００９】
本考案の配管ガイドの一態様では、前記タイ片は、前記主延在片及び副延在片の一端側同士を連結しており、前記副延在片の１対の長側辺のうち他端側には、前記主延在片側に起立する起立片が設けられている。
【００１０】
本考案の配管ガイドの一態様では、前記副延在片は前記主延在片の前記中間部に対面している。
【００１１】
本考案の配管ガイドの一態様では、前記主延在片の前記中間部及び前記副延在片は、長手方向において湾曲している。
【００１２】
本考案の配管配置構造は、コーナー部で交わる第１の面から第２の面にかけて配管が配置され、該配管が請求項１〜５のいずれかの配管ガイドの前記配管用スペースに挿通されており、前記張出片が前記第１の面に固定されている。
【００１３】
本考案の配管配置構造の一態様では、前記配管ガイドの張出片がビスによって前記第１の面に固定されている。
【考案の効果】
【００１４】
本考案では、配管ガイドの基端側の張出片を第１の面に当接させ、主延在片の先端側を第２の面に対峙させるように配管ガイドが配置される。配管は、主延在片の裏側に沿って引き回され、主延在片と副延在片との間の配管用スペースに配置される。張出片がビス等によって第１の面に固定される。
【００１５】
この配管ガイドは、基端側の張出片のみが第１の面に固定され、第２の面には全く固定されない。第２の面がウレタン断熱材など軟質材で構成されている場合であっても、配管ガイドが第１の面に堅固に固定される。
【００１６】
また、副延在片の１対の長手辺にそれぞれ主延在片に向って起立する起立片を設けておくことにより、配管の横ズレが防止される。
【図面の簡単な説明】
【００１７】
【図１】実施の形態に係る配管ガイド及び配管配置構造を示す斜視図である。
【図２】実施の形態に係る配管配置構造の分解斜視図である。
【図３】実施の形態に係る配管ガイドの、図１，２とは反対側からの斜視図である。
【図４】図２，３のIV−IV線断面図である。
【考案を実施するための形態】
【００１８】
以下、図１〜４を参照して実施の形態に係る配管ガイド１及び配管配置構造について説明する。
【００１９】
この配管ガイド１は、第１の面（この実施の形態では壁面１１）と第２の面（この実施の形態では床面）１２とが交差（この実施の形態では直交）するコーナー部１３に配置される。この配管ガイド１は、壁面１１と床面１２とに跨がって引き回される配管１４をコーナー部１３付近においてガイドするためのものである。なお、配管１４のうち壁面１１に沿う部分は蛇腹状の鞘管１５に挿通されている。
【００２０】
配管ガイド１は、上部が壁面１１に対面し、下部が床面１２に対面する主延在片２と、主延在片２の裏側の副延在片３と、両者を繋ぐタイ片４と、主延在片２の上部の両側辺から壁面１１に向って起立する１対の側片５，５と、各側片５，５から互いに反対方面に延出した張出片６，６と、張出片６，６に設けられたビス挿通孔６ａ，６ａと、副延在片３の１対の側辺の上端部からそれぞれ主延在片２に向って起立する１対の起立片３ａ，３ａとを有する。
【００２１】
この実施の形態では、主延在片２の上部（基端部）２ａと下部（先端部）２ｃは略平板状であり、両者の間の中間部２ｂは四分円弧状の湾曲している。なお、中間部２ｂは滑らかな円弧状であってもよく、細かい屈曲部を多数連続的に設けることにより巨視的に円弧状としたものであってもよい。
【００２２】
この実施の形態では、主延在片２及び副延在片３の幅（長手方向と直交方向の寸法）は略同一である。タイ片４は副延在片２の下端部と主延在片２とを連結している。タイ片４は、主延在片２及び副延在片３の一方の長側辺にのみ設けられている。主延在片２及び副延在片３の他方の長側辺同士の間にはタイ片は設けられていない。そのため、該他方の長側辺同士の間を通って配管１４が主延在片２と副延在片３との間の配管用スペースに出し入れできるようになっている。
【００２３】
なお、主延在片２と副延在片３との間隔は配管１４の外径よりも大きく設定されている。この実施の形態では、主延在片２と副延在片３との間隔は、上方ほど大きくなっている。このようにすることで、配管の挿入がしやすくなる。
【００２４】
起立片３ａの起立方向先端部と主延在片２との隙間は配管１４の外径よりも若干小さくなっており、配管１４を主延在片２と副延在片３との間に配置するときには、該隙間を押し広げて配管１４を通過させる。
【００２５】
この配管ガイド１を用いて配管１４を配設する場合、予め配管ガイド１を配管引き回し予定位置に仮置きして壁面に罫書き線をつけておくのが好ましい。なお、配管ガイド１を仮置きする際には、張出片６，６を壁面１１に当接させると共に、副延在片３の下端を床面１２に当接させるのが好ましい。
【００２６】
次いで、図２の通り、配管１４を側片５，５間及び主延在片２と副延在片３との間に通した後、配管ガイド１を罫書き位置に合わせて配置し、張出片６，６を壁面１１に当接させ、副延在片３の下端部を床面１２と当接させる。
【００２７】
この状態で、張出片６の孔６ａを通してビス７を壁面１１にねじ込み、配管ガイド１を壁面１１に固定する。
【００２８】
この配管ガイド１及び配管配置構造では、配管ガイド１は壁面１１にのみ固定される。そのため、床面１２にウレタン断熱材などが設けられてビスの効かない床面の場合であっても、配管ガイド１は壁面１１に堅固に固定される。
【００２９】
また、配管１４は主延在片２及び副延在片３によって上下ないし前後から拘束されると共に、タイ片４や１対の側辺５及び１対の起立片３ａ，３ａで側方から拘束されるので、配管１４の左右ズレも防止される。
【００３０】
特に、この実施の形態では、起立片３ａ，３ａと主延在片２との隙間を配管１４の外径よりも若干小さくしているので、主延在片２と副延在片３との間から配管１４が左右に離脱することが確実に防止される。
【００３１】
上記実施の形態では、配管ガイド１を壁面１１に固定するものとしているが、床面１２がビスが効く構造のものであるときには、配管ガイド１を上下反転させ、張出片６を床面１２にビス留めしてもよい。
【００３２】
また、この配管ガイド１は、壁・天井のコーナー部や、壁・壁のコーナー部など各種のコーナー部に適用することができる。
【符号の説明】
【００３３】
１  配管ガイド
２  主延在片
３  副延在片
３ａ  起立片
４  タイ片
５  側片
６  張出片
１１  壁面（第１の面）
１２  床面（第２の面）
１３  コーナー部
【図１】
0003224224.tif 000003
【図２】
0003224224.tif 000004
【図３】
0003224224.tif 000005
【図４】
0003224224.tif 000006